(57)【要約】【課題】収穫時に葉と果実とを確実に分離して果実の収穫作業の作業性を向上させる。【解決手段】苗Ｋ０を成育する苗成育部２０と、苗成育部２０に連設され、かつ、苗Ｋ０の成長により苗成育部２０から延びた茎Ｋ２を這わせる茎這わせ部３０とを備え、茎這わせ部３０は、縦向きになった垂下姿勢Ｓ１と、横向きになった水平姿勢Ｓ２との間で姿勢変更が可能な枠体３１と、この枠体３１に所定ピッチで張設された当該枠体３１が縦向き姿勢に姿勢設定された状態で上下方向に延びる複数本の紐体３２とを備え、紐体３２は、枠体３１が水平姿勢Ｓ２に設定された状態で葉を紐体３２の上側に位置させるとともにキュウリＫを紐体３２間を潜って紐体３２の下側に垂下させるように互いに隣設されたもの同士の間の距離が設定されている。【選択図】図１
2008148635.tif 000002
【特許請求の範囲】
【請求項１】
茎に葉が茂るとともに果実が結実する種類の植物の栽培に供される植物栽培装置であって、
前記植物の苗を支持して成育を行わせる所定長を有する苗成育部と、
前記苗成育部を所定高さに支持する支持部と、
前記苗成育部に対し、その長手方向に一辺部が連接され、前記苗の成長に応じて伸びる茎を這わせる面状の茎這わせ部とを備え、
前記茎這わせ部は、前記一辺部を軸にして、下方に倒された縦向き姿勢と、横方向に起こされた横向き姿勢との間で姿勢変更が可能な枠体と、前記葉と果実とを仕分けるべく、前記枠体に所定ピッチで設けられる複数本の紐体とを有することを特徴とする植物栽培装置。
【請求項２】
前記紐体は、前記苗成育部の長手方向と直交する方向へ延びるように前記枠体に張設されていることを特徴とする請求項１記載の植物栽培装置。
【請求項３】
前記紐体は、所要幅を有する帯状であることを特徴とする請求項１または２記載の植物栽培装置。
【請求項４】
前記紐体は、前記果実の自重で伸長する弾性材からなることを特徴とする請求項１乃至３のいずれかに記載の植物栽培装置。
【請求項５】
前記茎這わせ部は、前記苗成育部に吊持されていることを特徴とする請求項１乃至４のいずれかに記載の植物栽培装置。
【請求項６】
前記枠体は、前記一辺部を軸にして前記縦向き姿勢と横向き姿勢との間で回動可能に構成されていることを特徴とする請求項１乃至５のいずれかに記載の植物栽培装置。
【請求項７】
前記枠体は、２個が並設され、互いに逆側の横向き姿勢に起こされ得るものであることを特徴とする請求項１乃至６のいずれかに記載の植物栽培装置。
【請求項８】
前記枠体は、四角形状を有することを特徴とする請求項１乃至７のいずれかに記載の植物栽培装置。
【請求項９】
前記苗成育部は、前記苗が収納される苗成育筒を備え、前記苗成育筒には、その上面に茎を外部に導出する茎導出孔が穿設されていることを特徴とする請求項１乃至４のいずれかに記載の植物栽培装置。
【請求項１０】
前記支持部は、前記苗成育部を吊持した状態で、該苗成育部の長手方向に直交する水平方向に移動させるスライドガイド部材を備えてなることを特徴とする請求項１乃至８のいずれかに記載の植物栽培装置。
【請求項１１】
前記苗成育部へ負帯電微細水滴を送り込んで当該苗成育部内を加湿する加湿器が設けられていることを特徴とする請求項１乃至１０のいずれかに記載の植物栽培装置。
【発明の詳細な説明】
【技術分野】
【０００１】
本発明は、キュウリやヘチマ、マクワウリ等の果実を結実するウリ科植物、さらにはナスビやトマト等の果実を結実する植物の栽培において、特に果実の収穫を容易に行うことが可能な植物栽培装置に関するものである。
【背景技術】
【０００２】
従来、特許文献１に記載されているようなキュウリの栽培装置が知られている（特許文献１の段落〔００５２〕〜〔００５４〕並びに図１７および図１８参照）。このキュウリの栽培装置は、上下方向に延びる隙間の幅寸法が１５０ｍｍ〜１８０ｍｍに設定された所定高さ寸法の矩形状を呈する支持枠と、この支持枠に上下方向へ延びるように張設された紐体とを備えている。支持枠は、上下一対の横桟と、これら一対の横桟の各端部間に架設された左右一対の縦桟とからなっている。そして、紐体は、上下の横桟の中央部間に１本だけが架設されている。
【０００３】
このような支持枠は、培地に一列に整列して植設されたキュウリの株位置毎に横桟がキュウリの列方向に向いた状態で一列に並べられる。各支持枠は、下部の横桟回りに畑または培地の通路側に向かって所定角度（特許文献１の図１７に示す例では略７５°）傾斜されている。
【０００４】
かかる栽培装置によれば、キュウリの株から成長した蔓は、支持枠の上下の横桟間に張設された紐体に巻き付きながら成長し、蔓や葉が支持枠の上側に残った状態で果実であるキュウリが傾斜している支持枠から下方に向けて垂れ下がった状態になる。
【０００５】
そして、特許文献１に記載の装置においては、収穫期に支持枠から垂れ下がったキュウリを、専用の収穫用の車両を支持枠の列に沿って形成された通路に沿って走行させることにより当該車両に自動的に収穫させるようになされている。
【特許文献１】特開２０００−１８８９２８号公報
【発明の開示】
【発明が解決しようとする課題】
【０００６】
ところで、特許文献１に記載されているような栽培装置にあっては、地上に形成された畑や培地に植設されたキュウリの株から蔓が上方へ向かって延びるようになされているため、この蔓の上向きの成長に同伴して葉も上向きに移動する傾向になる。従って、葉は、略７５°に傾いた支持枠の上側に必ずしも位置するとは限らず、支持枠の下側に残ったままになることも多い。
【０００７】
また、支持枠の一対の縦桟と紐体との間の隙間は、７５ｍｍ〜９０ｍｍと相当広く、従って、一旦支持枠の上側に位置した葉であっても、収穫期にキュウリの重みに引きずられ、広い隙間を通って支持枠の下側に移動してしまうこともある。
【０００８】
そして、葉が傾斜した支持枠から下方に移動すると、蔓から垂下した果実であるキュウリがこの葉によって隠されるため、収穫作業時にキュウリを見つけ出すことが困難になり、結果として収穫するべきキュウリを見逃してしまう場合も多く、収率が低下するという不都合が生じる。
【０００９】
かかる不都合を解消するべく、葉を掻き分けながら果実を見つけ出す作業を丹念に行えばよいが、このようにすると収穫作業に時間がかかり、作業効率が低下するという新たな問題点が提起される。
【００１０】
本発明は、従来のこのような状況に鑑みなされたものであって、収穫時に葉と果実とを確実に分離することが可能であり、これによって果実の収穫作業の作業性を大幅に向上させることが可能であるとともに、収率の低下を確実に防止することができる植物栽培装置を提供することを目的としている。
【課題を解決するための手段】
【００１１】
請求項１記載の発明は、茎に葉が茂るとともに果実が結実する種類の植物の栽培に供される植物栽培装置であって、前記植物の苗を支持して成育を行わせる所定長を有する苗成育部と、前記苗成育部を所定高さに支持する支持部と、前記苗成育部に対し、その長手方向に一辺部が連接され、前記苗の成長に応じて伸びる茎を這わせる面状の茎這わせ部とを備え、前記茎這わせ部は、前記一辺部を軸にして、下方に倒された縦向き姿勢と、横方向に起こされた横向き姿勢との間で姿勢変更が可能な枠体と、前記葉と果実とを仕分けるべく、前記枠体に所定ピッチで設けられる複数本の紐体とを有することを特徴とするものである。
【００１２】
かかる構成によれば、支持部に支持された苗成育部の一辺部を軸にして姿勢変更可能な茎這わせ部を縦向き姿勢に姿勢設定した状態で、苗成育部に所定の植物の苗を植設して成育することにより、成長した苗は茎を延ばし、この茎は茎這わせ部の枠体に張設された紐体に誘導されて葉を茂らしつつ這いながら成長していく。かかる植物には、収穫期が近付くと多くの葉が茂って果実が実り、この果実は茎から垂れ下がった状態になる。
【００１３】
そして、収穫期が到来した時点で、縦向き姿勢に姿勢設定されていた枠体を苗成育部の一辺部回りに横向き姿勢に姿勢変更することにより、面積の大きな葉は、果実に比べて軽量であるばかりか、一対の横枠間に所定ピッチで張設された複数本の紐体間の隙間を通り抜けることができないため、これらの紐体に支持された状態で横向き姿勢になった枠体に同伴し枠体の上側に残る。
【００１４】
これに対し、果実は、その重量も重く、かつ、葉ほどには面積が大きくないため、枠体が横向き姿勢に姿勢変更されることにより、紐体間の隙間を潜り抜け、枠体から下方へ向け垂れ下がって葉とは完全に分離された状態になる。従って、この状態においては、果実が葉に隠れるようなことはなく、一目瞭然で果実のみを見つけ出すことが可能になる。
【００１５】
このように、苗成育部に付設された茎這わせ部の構成要素である枠体を、縦向き姿勢と横向き姿勢との間で姿勢変更可能とするとともに、枠体には、所定ピッチで前記苗成育部の延びる方向と直交する方向へ延びる複数本の紐体が張設され、しかも紐体は、前記枠体が横向き姿勢に設定された状態で葉を当該紐体の上側に位置させるとともに果実を当該紐体の下側に位置させるように互いに隣設されたもの同士の間の距離が設定されているため、果実の収穫時に縦向き姿勢に姿勢設定されていた枠体を横向き姿勢に姿勢変更させるだけの簡単な操作を行うことで、繁茂した葉は、紐体に支持されて枠体の上に位置する一方、果実は紐体間の隙間を潜って枠体から下方へ垂れ下がった状態になる。かかる果実のみが垂れ下がった状態では、果実が葉に隠れて見つけ損なうようなことはなく、かつ、容易に収穫されるため、果実の収率が向上するとともに、収穫作業の作業性も向上する。
【００１６】
請求項２記載の発明は、請求項１記載の発明において、前記紐体は、前記苗成育部の長手方向と直交する方向へ延びるように前記枠体に張設されていることを特徴とするものである。
【００１７】
かかる構成によれば、植物の成育時において枠体が縦向き姿勢に姿勢設定された状態で紐体は上下方向に延びているため、植物の茎は、当該紐体を伝って自然な姿勢で適正に、かつ、規則的に上下方向に向けて成育していく。そして、収穫期に枠体を縦向き姿勢から横向き姿勢に姿勢変更させると、果実がキュウリやヘチマのように縦長のものである場合、当該縦長の果実は、茎から真っ直ぐに下方に向かって紐体と平行にぶら下がるため、隣設された紐体間の隙間を潜って枠体の下方へ確実に垂下する。
【００１８】
請求項３記載の発明は、請求項１または２記載の発明において、前記紐体は、所要幅を有する帯状であることを特徴とするものである。
【００１９】
かかる構成によれば、紐体として幅の広い帯状のものが採用されることにより、枠体が横向き姿勢に姿勢設定された状態で茎から繁った葉は、当該幅広の帯状の紐によって確実に支持される一方、重い果実は、たとえ帯状の紐体と干渉しても、当該紐体を捻らせた状態で下方へ向かうため、収穫作業時の葉と果実との分離がより確実に行われる。
【００２０】
請求項４記載の発明は、請求項１乃至３のいずれかに記載の発明において、前記紐体は、前記果実の自重で伸長する弾性材からなることを特徴とするものである。
【００２１】
かかる構成によれば、枠体が横向き姿勢に姿勢設定された状態で、枠体の上側に位置した果実は、たとえ紐体間の隙間が狭くても、これら紐体が弾性材により形成されているため、果実は、自重で紐体を伸長させることにより紐体間の隙間を押し広げて垂下し、これによって葉と果実との分離がより確実に行われる。
【００２２】
請求項５記載の発明は、請求項１乃至４のいずれかに記載の発明において、前記茎這わせ部は、前記苗成育部に吊持されていることを特徴とするものである。
【００２３】
かかる構成によれば、茎這わせ部を苗成育部に吊持させることにより、茎這わせ部を支持する部材を別途設ける必要がなくなり、その分部品点数の削減および装置コストの低減化が実現する。
【００２４】
請求項６記載の発明は、請求項１乃至５のいずれかに記載の発明において、前記枠体は、前記一辺部を軸にして前記縦向き姿勢と横向き姿勢との間で回動可能に構成されていることを特徴とするものである。
【００２５】
かかる構成によれば、枠体は、苗成育部の一辺部を軸として回動操作されることにより、縦向き姿勢と横向き姿勢との間で容易に姿勢変更する。
【００２６】
請求項７記載の発明は、請求項１乃至６のいずれかに記載の発明において、前記枠体は、２個が並設され、互いに逆側の横向き姿勢に起こされ得るものであることを特徴とするものである。
【００２７】
かかる構成によれば、苗成育部で成育された茎は、苗成育部の延びる方向と直交する方向のいずれの方向に向けて成長しても、２個の内のいずれか一方側の枠体に沿って成長し、結果として複数の茎が２個の枠体に振り分けられた状態になるため、果実の収穫時に２個の枠体をそれぞれ縦向き姿勢から横向き姿勢に姿勢変更させることにより、葉は、枠体の上側に常に確実に仕分けられ、１個の枠体の場合のように、果実と葉とが混在するような不都合が生じることがない。
【００２８】
請求項８記載の発明は、請求項１乃至７のいずれかに記載の発明において、前記枠体は、四角形状を有することを特徴とするものである。
【００２９】
かかる構成によれば、四角形状の枠体は、例えば三角形状の枠体など他の形状の枠体に比較して茎の成長に適合した必要かつ十分な広さを有しているため、茎の成長が適正に行われる。
【００３０】
請求項９記載の発明は、請求項１乃至５のいずれかに記載の発明において、前記苗成育部は、前記苗が収納される苗成育筒を備え、前記苗成育筒には、その上面に茎を外部に導出する茎導出孔が穿設されていることを特徴とするものである。
【００３１】
かかる構成によれば、苗成育筒内に植設された苗は、当該苗育成筒内で成育して成長し、茎が苗成育筒の上面に設けられた茎導出孔から外部に導き出された後、成長した当該茎は自重で湾曲して枠体にそって垂下しながら成長する。
【００３２】
そして、苗成育部をかかる苗成育筒により構成することで、当該苗成育部は、苗這わせ部を支持する構造物としての強度を保持し得るものになるとともに、略密閉空間である苗成育筒の内部の成育環境がコントロールし易くなる。
【００３３】
請求項１０記載の発明は、請求項１乃至８のいずれかに記載の発明において、前記支持部は、前記苗成育部を吊持した状態で、該苗成育部の長手方向に直交する水平方向に移動させるスライドガイド部材を備えてなることを特徴とするものである。
【００３４】
かかる構成によれば、スライドガイド部材に支持されて吊持された複数の苗成育部を互いに接近させて密集状態にした上で、植物を成育させ、果実の収穫時に端の植物栽培装置から順番にガイド部材のガイドで他とは所定距離（すなわち、枠体を横向き姿勢に姿勢変更させ得る距離）だけ離間させ、離間させた植物栽培装置の枠体を垂下姿勢から横向き姿勢に姿勢変更させて果実の収穫に供するようにすることで、敷地の植物の栽培面積を最小にすることが可能になり、単位面積当たりの果実の収率が向上する。
【００３５】
請求項１１記載の発明は、請求項１乃至１０のいずれかに記載の発明において、前記苗成育部へ負帯電微細水滴を送り込んで当該苗成育部内を加湿する加湿器が設けられていることを特徴とするものである。
【００３６】
かかる構成によれば、植物の苗は、負帯電微細水滴の作用により良好な成育が促され、成育率が向上する。
【発明の効果】
【００３７】
請求項１記載の発明によれば、縦向き姿勢と横向き姿勢との間で姿勢変更可能な枠体に所定ピッチで張設された複数本の紐体は、枠体が横向き姿勢に設定された状態で葉を紐体の上側に位置させるとともに果実を前記紐体の下側に位置させるように互いに隣設されたもの同士の間の距離が設定されているため、果実の収穫時に縦向き姿勢に姿勢設定されていた枠体を横向き姿勢に姿勢変更させるだけの簡単な操作を行うことで、繁茂した葉は、紐体に支持されて枠体の上に位置する一方、果実を紐体間の隙間を潜って枠体から下方へ垂れ下がった状態にすることができる。
【００３８】
そして、果実のみが枠体から垂れ下がった状態では、果実が葉に隠れて見つけ損なうような不都合が生じることを確実に防止することができ、しかも容易に収穫することができるため、果実の収率を確実に向上させることができるとともに、収穫作業の作業性をも向上させることができる。
【００３９】
請求項２記載の発明によれば、植物の成育時において枠体が縦向き姿勢に姿勢設定された状態で紐体は上下方向に延びているため、植物の茎を、当該紐体を伝って自然な姿勢で適正に、かつ、規則的に上下方向に向けて成育させることができる。そして、収穫期に枠体を縦向き姿勢から横向き姿勢に姿勢変更させることにより、果実がキュウリやヘチマのように縦長のものである場合、当該縦長の果実を隣設された紐体間の隙間を潜って枠体の下方へ確実に垂下させることができる。
【００４０】
請求項３記載の発明によれば、紐体として幅の広い帯状のものが採用されるため、枠体が横向き姿勢に姿勢設定された状態で茎から繁った葉を当該幅広の帯状の紐によって確実に支持することができるとともに、重い果実を、たとえ帯状の紐体と干渉しても、当該紐体を捻らせた状態で下方へ向かわせ、これによって収穫作業時の葉と果実との分離をより確実に行うことができる。
【００４１】
請求項４記載の発明によれば、紐体として果実の自重で伸長する弾性材が採用されているため、枠体が横向き姿勢に姿勢設定された状態で、枠体の上側に位置した果実は、たとえ紐体間の隙間が狭くても果実が自重で紐体を伸長させて紐体間の隙間を押し広げて垂下し、これによって葉と果実とをより確実に分離することができる。
【００４２】
請求項５記載の発明によれば、茎這わせ部は、苗成育部に吊持されているため、茎這わせ部を支持する部材を別途設ける必要がなくなり、その分部品点数を削減することができ、装置コストの低減化に貢献することができる。
【００４３】
請求項６記載の発明によれば、枠体を苗成育部の一辺部を軸として回動操作することができるため、縦向き姿勢と横向き姿勢との間で容易に姿勢変更することができる。
【００４４】
請求項７記載の発明によれば、枠体は、２個が並設され、互いに逆側の横向き姿勢に起こされるため、苗成育部で成育された茎は、苗成育部の延びる方向と直交する方向のいずれの方向に向けて成長しても、２個の内のいずれか一方側の枠体に沿って成長し、結果として複数の茎を２個の枠体に振り分けられた状態にすることができる。従って、果実の収穫時に２個の枠体をそれぞれ縦向き姿勢から横向き姿勢に姿勢変更させることにより、葉は、枠体の上側に常に確実に仕分けられ、１個の枠体の場合のように、果実と葉とが混在するような不都合の発生を確実に防止することができる。
【００４５】
請求項８記載の発明によれば、枠体は、四角形状を有しているため、例えば三角形状の枠体など他の形状の枠体に比較して茎の成長に適合した必要かつ十分な広さを有し、これにより茎を適正に成長させることができる。
【００４６】
請求項９記載の発明によれば、苗成育部が円筒状の苗成育筒により構成されているため、当該苗成育部を、苗這わせ部を支持する構造物としての強度を容易に確保し得るものにすることができるとともに、略密閉空間である苗成育筒の内部の成育環境を容易にコントロールすることが可能になり、苗の成育率を向上させることができる。
【００４７】
請求項１０記載の発明によれば、スライドガイド部材に支持されて吊持された複数の苗成育筒を互いに接近させて密集状態にした上で、植物を成育させ、果実の収穫時に端の植物栽培装置から順番に枠体を横向き姿勢に姿勢変更させ得る距離だけ離間させ、離間させた植物栽培装置の枠体を垂下姿勢から横向き姿勢に姿勢変更させて果実の収穫に供するようにすることで、植物の栽培面積を最小にすることが可能になり、敷地の単位面積当たりの果実の収率を向上させることができる。
【００４８】
請求項１１記載の発明によれば、植物の苗は、苗成育部へ負帯電微細水滴が供給されることにより、当該負帯電微細水滴の作用により良好な成育が促され、苗の成育率を向上させることができる。
【発明を実施するための最良の形態】
【００４９】
図１は、本発明に係る植物栽培装置の一実施形態を示す斜視図であり、図２は、その側面視の説明図である。なお、図１および図２においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００５０】
本発明に係る植物栽培装置１０は、キュウリやヘチマ、マクワウリ等の果実を結実するウリ科植物、さらにはナスビやトマト等の果実を結実する植物の栽培において、特に果実を容易に収穫することを目的として構成されたものである。そして、これらの植物の内、本発明に係る植物栽培装置１０は、特に茎が他物に依存して成長する、キュウリやウリ等のいわゆる蔓植物の栽培に適している。
【００５１】
また、本発明に係る植物栽培装置１０は、通常、温室やビニールハウスなどの植物栽培用の建屋Ｅ内に設けられるが、特に建屋Ｅ内に設けられることに限定されるものではなく、屋外に設けてもよい。因みに本実施形態においては、植物栽培装置１０で栽培される植物として果実がキュウリＫである苗Ｋ０を例に挙げている。
【００５２】
かかる植物栽培装置１０は、図１および図２に示すように、キュウリＫの苗Ｋ０を成育する苗成育部２０と、この苗成育部２０から下方に垂下され、かつ、苗の成長により苗成育部２０から延びた茎Ｋ２を這わせる茎這わせ部３０と、これら苗成育部２０および茎這わせ部３０を吊持した状態で建屋Ｅ内を移動させる移動構造（支持部）４０と、前記苗成育部２０へ負帯電微細水滴を供給する加湿器５０とを備えている。
【００５３】
前記移動構造４０は、建屋Ｅ内の前方および後方位置に立設された図略の支柱の上部位置間に架設される左右方向一対のガイドレール（スライドガイド部材）４１と、これらのガイドレール４１にガイドされつつ移動可能に支持される複数の走行体４２と、各走行体４２にそれぞれ固定された前記苗成育部２０を吊持する吊持アーム４３と、各吊持アーム４３の前後位置で前記一対のガイドレール４１に移動可能に装着されたスライダ４４とを備えている。
【００５４】
前記走行体４２は、正面視でＵ字状を呈する車輪支持部材４２１と、この車輪支持部材４２１の左右の側部に軸回りに回転自在に設けられた一対の車輪４２２とを備えている。前記車輪４２２は、周面が同心で環状に凹没されることによって形成された環状凹部を有し、この環状凹部がガイドレール４１に嵌め込まれることによってガイドレール４１に案内されつつ前後に転動し、これによって走行体４２がガイドレール４１上を進退する。
【００５５】
前記吊持アーム４３は、左右方向に長尺に形成され、その中央部が前記車輪支持部材４２１に固定されている。かかる吊持アーム４３は、左右の端部から下方に向かって延設された左右一対のブラケット４３１を有している。これら一対のブラケット４３１に前記苗成育部２０の後述する第１および第２軸筒２５，２６がそれぞれ貫通され、これによって苗成育部２０が吊持アーム４３に支持され、かつ、前記茎這わせ部３０が苗成育部２０を介して吊持アーム４３に吊持されている。
【００５６】
前記スライダ４４は、キュウリＫの収穫時に垂下姿勢（縦向き姿勢）Ｓ１に姿勢設定されている前記茎這わせ部３０を水平姿勢（横向き姿勢）Ｓ２に姿勢変更させるときに用いられるものである。かかるスライダ４４は、左右方向に長尺の矩形状を呈する板体によって形成され、左右両側部に前記ガイドレール４１に摺接状態で外嵌される被ガイド孔４４１がそれぞれ穿設されている。そして、スライダ４４は、これらの被ガイド孔４４１が各ガイドレール４１に外嵌されることにより、当該スライダ４４に外力を加えることでガイドレール４１に沿って正逆移動される。
【００５７】
このようなスライダ４４の左右方向の中央部下縁面には、下方に向けて突設された、ワイヤ４４３を挿通させるための挿通孔を備えた挿通片４４２が設けられている。前記ワイヤ４４３は、挿通片４４２の挿通孔に挿通された状態で一方の端部が茎這わせ部３０の下方の横枠３１１側（具体的には後述する下方の張設ロッド３４（図５））に固定される一方、他方の端部は自由端とされている。
【００５８】
そして、図１に示すように、互いに隣設された枠体３１の一方側を他方側から十分に離間させるとともに、移動させた枠体３１側のスライダ４４を他方の枠体３１へ向けて移動させた状態でワイヤ４４３の自由端側を下方に向けて引っ張ることにより、枠体３１は、その上縁部回りに回動して垂下姿勢Ｓ１から水平姿勢Ｓ２へ姿勢変更することになる。姿勢変更が行われた後のワイヤ４４３の他方の端部は、建屋Ｅ内の適所に結着等により固定される。
【００５９】
図３および図４は、苗成育部２０の一実施形態を示す一部切欠き斜視図であり、図３は、蓋体２２２が開放された状態、図４は、蓋体２２２が閉止された状態をそれぞれ示している。なお、図３および図４におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００６０】
図３および図４に示すように、苗成育部２０は、二重構造の苗成育筒２１と、この苗成育筒２１に一方の端部（図３および図４に示す例では右方の端部）を介して前記加湿器５０からの負帯電微細水滴を含む気流を導入する第１軸筒２５と、後述する内筒２３を透過して当該内筒２３と後述する外筒２２との間の環状隙間内を流通した前記気流を苗成育筒２１の他方の端部を介して導出する第２軸筒２６とを備えている。
【００６１】
前記苗成育筒２１は、合成樹脂製の外筒２２と、この外筒２２に同心で内装された、植物の根が通り抜けない防根材料製の内筒２３とからなっている。
【００６２】
前記外筒２２には、左右方向の両端部に円板側壁２２１がそれぞれ設けられているとともに、前方上部に外筒２２の略全長に亘る長さ寸法を備えた開閉自在の蓋体２２２が設けられている。前記一対の円板側壁２２１の一方（図３に示す例では右方）側の中心位置には第１軸筒２５が貫通されている一方、他方側の中心位置には第２軸筒２６が貫通されている。
【００６３】
そして、第１軸筒２５は、その左端が内筒２３に接続され、これによって加湿器５０からの負帯電微細水滴を含む気流が内筒２３内に導入されるのに対し、第２軸筒２６は、内筒２３の左端開口を閉止した閉止板２３４の中心位置に固定され、これによって内筒２３内とは直接的に連通されていない。かかる第２軸筒２６には、外筒２２内に位置した部分に気流導出開口２６１が穿設され、内筒２３を透過して当該内筒２３と外筒２２との間の環状隙間を流通した気流は、この気流導出開口２６１を通って第２軸筒２６から導出されるようになっている。
【００６４】
前記蓋体２２２は、苗成育筒２１内にキュウリＫの苗Ｋ０を外筒２２の長尺開口２２０を介して植設するときに開放されるものであり、幅寸法が外筒２２の周長の略１／８（すなわち端面視での中心角が略４５°）に設定されている。かかる蓋体２２２は、外筒２２における前記長尺開口２２０の下縁部との間に設けられた蝶番（一辺部）２２３の蝶番軸回りに回動可能に外筒２２に取り付けられている。
【００６５】
そして、このような外筒２２の上面側には、キュウリＫの苗Ｋ０を通すための複数個の外筒側挿通孔２２４が穿設されている。本実施形態では、外筒２２の左側に前後に並んで２つの外筒側挿通孔２２４が穿設されているとともに、同右側に前後に並んで２つの外筒側挿通孔２２４が穿設されている。前側の２つの外筒側挿通孔（茎導出孔）２２４は、成長した苗Ｋ０の茎Ｋ２を前方に向かわせるためのものであり、後側の２つの外筒側挿通孔２２４は、成長した苗Ｋ０の茎Ｋ２を後方に向かわせるためのものである。
【００６６】
前記内筒２３は、キュウリＫの苗Ｋ０の根Ｋ１の部分が挿入されるものであり、円筒状に巻かれた金網２３ａ（図６）の外周にスポンジや細孔を有する発泡性合成樹脂等からなる防根シート２３ｂ（図６）が巻き付けられることによって形成され、これによって極めて軽量なものになっている。かかる内筒２３は、水や加湿器５０からの負帯電微細水滴を透過させることができるが、根Ｋ１が透過することはない。
【００６７】
このような内筒２３には、前記外筒２２の各外筒側挿通孔２２４と対向した位置に内筒側挿通孔２３１がそれぞれ穿設されている。これらの内筒側挿通孔２３１は、キュウリＫの苗Ｋ０の根Ｋ１の部分のみを差し込むためのものである。根Ｋ１を内筒側挿通孔２３１に差し込むに際しては、図３の円内に示すように、根Ｋ１の若干上の茎Ｋ２の部分にスポンジ等の柔軟性材料からなる環状の栓部材２３２が外嵌され、この栓部材２３２が圧縮弾性変形した状態で内筒側挿通孔２３１に差し込まれることにより、キュウリＫの苗Ｋ０の内筒２３への装着状態が安定する。
【００６８】
環状の栓部材２３２には、その一部が軸心方向の全長に亘って切断されることによって形成された切断部２３３が設けられ、この切断部２３３を広げることで当該栓部材２３２をキュウリＫの苗Ｋ０に容易に装着することができる。
【００６９】
因みに、苗Ｋ０の根Ｋ１を内筒２３内に挿入するに際しては、まず、当該根Ｋ１を外筒２２の外筒側挿通孔２２４に差し通し、引き続き内筒２３の内筒側挿通孔２３１に差し通す。
【００７０】
そして、内筒２３の右側の端部は、前記第１軸筒２５における苗成育筒２１から外筒２２内に没入した部分に接続され、これによって加湿器５０から供給された負帯電微細水滴は、第１軸筒２５を介して内筒２３内に供給されるとともに、内筒２３を透過した気流は、当該内筒２３と前記外筒２２との間の環状隙間を左方に向かって流流筒した後、気流導出開口２６１を介して第２軸筒２６から導出され、加湿器５０へ戻されるようになっている。
【００７１】
図５は、茎這わせ部３０の一実施形態を示す斜視図である。なお、図５におけるＸおよびＹによる方向表示は、図１の場合と同様（Ｘは左右方向（−Ｘ：左方、＋Ｘ：右方）、Ｙは前後方向（−Ｙ：前方、＋Ｙ：後方））である。
【００７２】
図５に示すように、茎這わせ部３０は、成長して苗成育部２０の外筒２２から垂れ下がったキュウリＫの茎Ｋ２を這わせるためのものであり、矩形状の枠体３１と、この枠体３１の枠内に張設された複数本の紐体３２とを備えている。
【００７３】
前記枠体３１は、水平方向に延びる一対の横枠３１１と、これら一対の横枠３１１の両端部間に架設された左右方向一対の縦枠３１２とで矩形状に形成されている。かかる枠体３１は、上側の横枠３１１が苗成育筒２１の外筒２２における前面下部位置（長尺開口２２０より下方）および後面下部位置（長尺開口２２０より下方）にそれぞれ蝶番３３を介して取り付けられ、図１に示すように、蝶番３３の蝶番軸回りに回動することで外筒２２から垂下した垂下姿勢Ｓ１と、外筒２２から水平に延びた水平姿勢Ｓ２との間で姿勢変更可能になっている。
【００７４】
前記紐体３２は、キュウリＫの収穫時に枠体３１が水平姿勢Ｓ２に姿勢変更された状態でキュウリＫの葉Ｋ３を上に残してキュウリＫのみを枠体３１の下方に垂下させるためのものであり、複数本が所定の隙間を介して一対の横枠３１１間に張設されている。なお、本実施形態においては、上側の横枠３１１の直下位置および下側の横枠３１１の直上位置における一対の縦枠３１２間に紐体３２を張設するための一対の張設ロッド３４が架設され、前記紐体３２は、これら一対の張設ロッド３４に長尺の環をつくった状態で張設されている。こうすることで紐体３２の端部が横枠３１１によって保護され、農機具などの他の部材との干渉で切断するような不都合の発生が有効に防止される。
【００７５】
そして、かかる紐体３２は、左右方向で隣設する紐体３２間の隙間寸法が２０ｍｍ〜１００ｍｍになるように計算された本数が一対の張設ロッド３４間に張設されている。このようにされるのは、隣設された紐体３２間の隙間寸法が２０ｍｍ未満であると、キュウリＫがこの隙間を通過することができない場合があるからであり、同隙間寸法が１００ｍｍを超えると、葉Ｋ３がこの隙間を通過してしまう虞があるからである。
【００７６】
このように構成された茎這わせ部３０によれば、キュウリＫの収穫時に垂下姿勢Ｓ１に姿勢設定されていた枠体３１を水平姿勢Ｓ２に姿勢変更させると、面積が広くて軽いキュウリＫの葉Ｋ３は、各紐体３２に支持されて水平姿勢Ｓ２に姿勢変更された枠体３１の上側に残るのに対し、細長くて重いキュウリＫは、図１に示すように、各紐体３２間の隙間を通って下方に垂下するため、収穫時に葉Ｋ３を掻き分けながらキュウリＫを探すような面倒な作業を行う必要がなくなり、これによって収穫作業の作業性が大幅に向上する。また、キュウリＫが葉Ｋ３に隠れて見逃してしまうようなことはなく、これによってキュウリＫの収率が向上する。
【００７７】
また、本実施形態においては、苗成育部２０に吊持された一対の枠体３１間に、苗成育筒２１の外筒２２の下面から垂下された合成樹脂製の遮光シート２７が設けられている。この遮光シート２７の表裏面には、例えば金属の蒸着処理によって形成された鏡面が設けられている。そして、外部から建屋Ｅ内に差し込んだ光がこの鏡面で反射されることにより、枠体３１に沿って垂下したキュウリＫの葉Ｋ３の裏面側に照射され、これによって各葉Ｋ３は万遍なく光合成を行い得るようになる。
【００７８】
図６は、加湿器５０の概要を説明するための断面視の説明図である。図６には、加湿器５０に併せて苗成育部２０の断面図も示している。なお、図６におけるＸによる方向表示は、図１の場合と同様（−Ｘ：左方、＋Ｘ：右方）である。
【００７９】
図６に示すように、加湿器５０は、直方体状の水槽５１と、この水槽５１に縦置き状態で装着された円筒状を呈する加湿器本体５２とを備えている。前記水槽５１には、上下方向の略中間高さにまで負帯電微細水滴を形成させるための、植物育成用の所定の養分を含む水が満たされているとともに、前記加湿器本体５２は、下端部が水面より若干上方に位置し、かつ、略上半分が水槽５１の天板５１１から上方に突出した宙吊り状態で水槽５１に装着されている。
【００８０】
前記加湿器本体５２は、下端が水槽５１に貯留されている水中に没入した状態で筒心位置から下方に向けて垂下された吸水管５２１を有している。また、加湿器本体５２の内部には、図略の駆動モータやこの駆動モータの駆動で回転する複数段の回転ファン等が内装されている。
【００８１】
そして、回転ファンの回転による加湿器本体５２内の負圧に誘引されて水槽５１の貯留水が前記吸水管５２１により給水され、当該吸水管５２１の上端から加湿器本体５２内へ排出されるようになっている。加湿器本体５２内へ排出された水は、高速回転している複数段の回転ファンによる遠心力で加湿器本体５２の内壁面に衝突させられることが繰り返され、このときの衝撃で水のクラスターが分断されるとともに、分断時のレナード効果により多くの負に帯電した微細な水滴になる。
【００８２】
さらに、加湿器本体５２の頂部には、細孔を有する図略のフィルタが内装され、前記レナード効果で形成された負帯電微細水滴は、このフィルタを透過することにより粒径が揃った状態で前記内筒２３へ向けて送り出されるようになっている。
【００８３】
そして、加湿器本体５２の頂部と各苗成育筒２１の第１軸筒２５との間には、負帯電微細水滴を含んだ気流を各内筒２３内へ送り込む気流供給管５３が配設されているとともに、各苗成育筒２１の第２軸筒２６と水槽５１との間には、苗成育筒２１から導出された気流を水槽５１内へ戻すための気流回収管５４が設けられ、加湿器本体５２からの負帯電微細水滴を含む気流は、気流供給管５３および第１軸筒２５を通って苗成育筒２１内に導入され、ここでキュウリＫの成育に供された後、第２軸筒２６および気流回収管５４を通って水槽５１に回収され、以後この経路を循環される。
【００８４】
前記気流供給管５３の下流側における各第１軸筒２５間に伸縮自在のフレキシブルチューブ５３１が設けられているとともに、気流回収管５４の上流側における各第２軸筒２６間にもフレキシブルチューブ５４１が設けられ、各苗成育部２０は、これらフレキシブルチューブ５３１，５４１が伸縮することで加湿器５０と常に連通しながらガイドレール４１に案内されつつ正逆移動し得るようになっている。
【００８５】
また、水槽５１には、当該水槽５１内の水の温度を調節するための水温調節装置５５が付設されている。この水温調節装置５５は、水槽５１内の水を加温する加温装置５６と、同冷却する冷却装置５７とを備えている。
【００８６】
前記加温装置５６は、水などの加熱媒体を加熱するボイラー５６１と、このボイラー５６１によって加熱された加熱媒体が供給される加熱用コイル管５６２とを備えている。前記加熱用コイル管５６２は、水槽５１内で水中に没するように配設されている。従って、ボイラー５６１からの加熱媒体が加熱用コイル管５６２に供給されることにより、水槽５１内の水は、加熱用コイル管５６２を介した当該加熱媒体との熱交換により加温されることになる。
【００８７】
前記冷却装置５７は、所定の冷却水源からの冷却水をポンプアップする給水ポンプ５７１と、この給水ポンプ５７１によって給水された冷却水が供給される冷却用コイル管５７２とを備えている。前記冷却用コイル管５７２も水槽５１内で水中に没するように配設されている。従って、給水ポンプ５７１からの冷却水が冷却用コイル管５７２に供給されることにより、水槽５１内の水は、冷却用コイル管５７２を介した冷却水との熱交換により冷却されることになる。
【００８８】
そして、加熱用コイル管５６２および冷却用コイル管５７２のいずれか一方または所定の比率で双方が機能されることにより、水槽５１内の貯留水の温度が調節され、ひいてはキュウリＫの成育環境である苗成育筒２１内の温度が調節される。
【００８９】
なお、本実施形態においては、給水ポンプ５７１から吐出される水を水槽５１内へ送り込む配管が分岐され、水槽５１内の水位が予め設定された所定の水位より低下したとき、当該配管に設けられているバルブが開放され、これによって水槽５１内の水位が所定の水位を回復するまで水槽５１内に給水されるようになっている。これによって水槽５１内の水位は常に所定の水位が確保される。
【００９０】
さらに、水槽５１には、給気装置５８が付設されている。この給気装置５８は、外気を吸引して圧縮処理するコンプレッサ５８１と、このコンプレッサ５８１に接続され、かつ、先端が水中に没するように水槽５１内に挿入されたバブリング配管５８２とを備えている。バブリング配管５８２の水中に没している部分には、複数の空気吹き出し孔が穿設されている。
【００９１】
そして、前記コンプレッサ５８１が駆動されることにより、圧搾空気がバブリング配管５８２を通り、空気吹き出し孔を介して水槽５１内の水中にバブリング状態で供給され、これによって水槽５１内の貯留水中に酸素が溶存される。この酸素が溶存した水は、加湿器本体５２の駆動で負帯電微細水滴となり、この負帯電微細水滴が内筒２３内に供給されることにより、負帯電微細水滴中の酸素がキュウリＫの成育環境に放出される。これによって外筒２２内のキュウリＫの成育環境を、当該キュウリＫの葉Ｋ３が呼吸作用を行うのに必要な酸素が存在した状態にすることができる。
【００９２】
以上詳述したように、本発明に係る植物栽培装置１０は、苗Ｋ０を成育する苗成育部２０と、苗成育部２０に連設され、かつ、苗Ｋ０の成長により苗成育部２０から延びた茎Ｋ２を這わせる茎這わせ部３０とを備え、茎這わせ部３０は、縦向きになった縦向き姿勢（本実施形態では垂下姿勢Ｓ１）と、横向きになった横向き姿勢（本実施形態では水平姿勢Ｓ２）との間で姿勢変更が可能な枠体３１と、この枠体３１に所定ピッチで張設された当該枠体３１が縦向き姿勢に姿勢設定された状態で上下方向に延びる複数本の紐体３２とを備え、紐体３２は、枠体３１が水平姿勢Ｓ２に設定された状態で葉を紐体３２の上側に位置させるとともにキュウリＫを紐体３２間を潜って紐体３２の下側に垂下させるように互いに隣設されたもの同士の間の距離が設定されている。
【００９３】
植物栽培装置１０のこのような構成によれば、茎這わせ部３０を垂下姿勢Ｓ１に姿勢設定した状態で、苗成育部２０に所定の植物の苗Ｋ０を植設して成育することにより、成長したキュウリＫの苗Ｋ０は茎Ｋ２を延ばし、この茎Ｋ２は茎這わせ部３０の枠体３１に張設された紐体３２に誘導されて葉を茂らしつつ這いながら成長していく。かかるキュウリＫの苗Ｋ０が成長して収穫期が近付くと多くの葉Ｋ３が茂ってキュウリＫが実り、このキュウリＫは茎Ｋ２から垂れ下がった状態になる。
【００９４】
そして、収穫期が到来した時点で、垂下姿勢Ｓ１に姿勢設定されていた枠体３１を水平姿勢Ｓ２に姿勢変更することにより、面積の大きな葉Ｋ３は、キュウリＫに比べて軽量であるばかりか、一対の横枠３１１間に所定ピッチで張設された複数本の紐体３２間の隙間を通り抜けることができないため、これらの紐体３２に支持された状態で水平姿勢Ｓ２になった枠体３１に同伴し枠体３１の上側に残る。
【００９５】
これに対し、キュウリＫは、その重量も重く、かつ、葉Ｋ３ほどには面積が大きくないため、枠体３１が水平姿勢Ｓ２に姿勢変更されることにより、紐体３２間の隙間を潜り抜け、枠体３１から下方へ向け垂れ下がって葉Ｋ３とは完全に分離された状態になる。従って、この状態においては、キュウリＫが葉Ｋ３に隠れるようなことはなく、一目瞭然でキュウリＫのみを見つけ出すことが可能になり、キュウリＫの収率を確実に向上させることができるとともに、収穫作業の作業性をも向上させることができる。
【００９６】
そして、本実施形態においては、茎這わせ部３０は、苗成育部２０に吊持され、枠体３１の縦向き姿勢として苗成育部２０から垂下した垂下姿勢Ｓ１が採用されているため、苗成育部２０の適所（本実施形態においては蝶番２２３の蝶番軸）を支点として枠体３１を所定の方向に向けて回動操作することにより、枠体３１を垂下姿勢Ｓ１と水平姿勢Ｓ２との間で容易に姿勢変更させることができ、枠体３１の姿勢変更構造を簡単なものにすることができる。
【００９７】
また、枠体３１は、苗成育部２０の両側部から垂下されているため、苗成育部２０で成育された成長した茎Ｋ２は、苗成育部２０のいずれの側部から垂下しても対応した枠体３１に支持され、これによって枠体３１が１つの場合には、当該１つの枠体３１の方へ成長した茎Ｋ２を導くような作業を行う必要があるが、このような作業を行う必要がなくなり、その分植物の成育管理作業の作業性を向上させることができる。
【００９８】
また、枠体３１は、水平方向に延びる一対の横枠３１１と、これら一対の横枠３１１の両端部間に架設された一対の縦枠３１２とで矩形状に形成され、かかる枠体３１の一対の横枠３１１間に紐体３２が張設されているため、枠体３１は構造的に丈夫なものになり、これによって枠体３１の垂下姿勢と水平姿勢Ｓ２との間の度重なる姿勢変更に対応することができる。
【００９９】
また、苗成育部２０が円筒状の苗成育筒２１により構成されているため、当該苗成育部２０を、茎這わせ部３０を支持する構造物としての強度を容易に保持し得るものにすることができるとともに、略密閉空間である苗成育筒２１の内部の成育環境を容易にコントロールすることが可能になり、キュウリＫの苗Ｋ０の成育率を向上させることができる。
【０１００】
さらに、ガイド部材に支持されて吊持された複数の苗成育筒２１および枠体３１を互いに接近させて密集状態にした上で、植物を成育させ、キュウリＫの収穫時に端から順番に枠体３１を水平姿勢Ｓ２に姿勢変更させ得る距離だけ離間させ、引き続き植物栽培装置の枠体３１を垂下姿勢Ｓ１から水平姿勢Ｓ２に姿勢変更させてキュウリＫの収穫に供するようにすることで、植物の栽培面積を最小にすることが可能になり、敷地の単位面積当たりのキュウリＫの収率を向上させることができる。
【０１０１】
加えて、苗成育部２０へ負帯電微細水滴を送り込んで当該苗成育部２０内を加湿する加湿器が設けられているため、キュウリＫの苗Ｋ０は、苗成育部２０へ供給された負帯電微細水滴の作用により良好な成育が促され、成育率を向上させることができる。
【０１０２】
本発明は上記の実施形態に限定されるものではなく、以下の内容をも包含するものである。
【０１０３】
（１）上記の実施形態においては、茎這わせ部３０が苗成育部２０から吊り下げられているが、本発明は、茎這わせ部３０が苗成育部２０に吊持されることに限定されるものではなく、苗成育部２０を地上に形成し、茎這わせ部３０をこの苗成育部２０から立設してもよい。こうすることで、キュウリＫの苗Ｋ０が成長すると、その茎Ｋ２が茎這わせ部３０に沿って上昇していくことになる。但し、この場合には、苗成育部２０の上方位置に茎這わせ部３０を支持する構造物を設け、この構造物に茎這わせ部３０を吊持する必要がある。また、この場合、苗成育部２０を水耕栽培用のものにしてもよいし、苗成育部２０に代えて通常の栽培用の畝を採用してもよい。
【０１０４】
（２）上記の実施形態においては、苗成育部２０の内筒２３内に加湿器５０からの負帯電微細水滴を（この水滴には養分が溶解されている）含んだ気流を供給しているが、本発明は、加湿器５０からの負帯電微細水滴を含む気流を内筒２３内に供給することに限定されるものではなく、養分を含む通常の粒径のミストを気流に同伴させて内筒２３内に供給してもよいし、養分を含む水そのものを内筒２３内に供給してもよい。養分を含む水を内筒２３内に供給する場合には、いわゆる水耕栽培と同様になる。
【０１０５】
なお、苗成育部２０を水耕栽培専用のものとする場合には、苗成育部２０において内筒２３を設けることなく外筒２２のみとすることができ、内筒２３を設けない分苗成育部２０のコストを低減することができる。また、植物栽培装置１０を水耕栽培専用とした場合、高価な加湿器５０を採用しなくてもよくなるため、その分、植物栽培装置１０の装置コストを全体的に安価なものにすることができる。
【０１０６】
（３）上記の実施形態においては、茎這わせ部３０は、垂下姿勢Ｓ１に姿勢設定された状態で水平面に対して垂直になっているが、こうする代わりに茎這わせ部３０を、葉Ｋ３が支持される面を上面として垂直面に対して若干傾斜させるようにしてもよい。
【０１０７】
（４）上記の実施形態において、建屋Ｅ内のキュウリＫの苗Ｋ０に人工的な光を照射する光源を設けてもよい。こうすることでキュウリＫの苗Ｋ０に照射する光の光量や照射時間をコントロールすることが可能になり、適切なコントロールによって収穫時期を調節したり、キュウリ（果実）Ｋの収率を向上させたりすることができる。
【０１０８】
（５）上記の実施形態においては、枠体３１として一対の横枠３１１と、これら一対の横枠３１１の両端部間に架設された一対の縦枠３１２とからなる矩形状に形成されたものが採用されているが、本発明は、枠体が矩形状のものであることに限定されるものではなく、一対の横枠３１１のみによって枠体を構成し、これら一対の横枠３１１間に複数本の紐体３２を架設したものであってもよい。この場合、枠体が垂下姿勢Ｓ１に姿勢設定されたときには、下方の横枠３１１の重量により紐体３２が張設状態になっているため、茎Ｋ２を這わせるのに特に不都合が生じることはない。また、枠体を水平姿勢Ｓ２に姿勢変更させるときには、スライダ４４を所定の位置に移動させた後にワイヤ４４３を引いて下側の横枠３１１を引き上げればよい。こうすることで、枠体は、紐体３２が若干下方へ湾曲した状態で水平姿勢Ｓ２に設定される。
【０１０９】
（６）上記の実施形態においては、茎這わせ部３０を吊持した複数の苗成育部２０がそれぞれガイドレール４１にガイドされつつ移動可能とされているが、本発明は、複数の苗成育部２０が移動可能であることに限定されるものではなく、茎這わせ部３０の栽培面を前後方向に向け勢多状態でそれぞれを前後方向に所定の間隔（すなわち、茎這わせ部３０が水平姿勢Ｓ２に姿勢設定され得る間隔）で配設してもよいし、左右方向に向けて互いに隣接状態で並設してもよい。
【０１１０】
（７）上記の実施形態においては、紐体３２として断面視で円形の通常のロープ状の紐が採用されているが、本発明は、紐体３２が通常のロープ状のものであることに限定されるものではなく、幅広の帯状のものを採用してもよい。こうすることで、葉Ｋ３は、帯状の紐体３２の広い面積で遮られるため、葉Ｋ３とキュウリ（果実）Ｋとの分離がさらに良好に行われる。
【０１１１】
また、紐体３２をゴムなどの弾性材料によって形成すれば、枠体３１の上側に位置したキュウリ（果実）Ｋは、たとえ紐体３２間の隙間が狭くても、これら紐体３２が弾性材料により形成されているため、キュウリＫは、自重で紐体３２を伸長させることにより紐体３２間の隙間を押し広げて垂下し、これによって葉Ｋ３とキュウリＫとの分離がより確実に行われる。
【０１１２】
（８）上記の実施形態においては、紐体３２が枠体３１の横枠３１１間に架設されているが、本発明は、紐体３２が枠体３１の横枠３１１間に架設されることに限定されるものではなく、縦枠３１２間に張設してもよい。そして、紐体３２を枠体３１の縦枠３１２間に張設した場合には、当該枠体３１をメロンや丸いナスビなどの球状を呈する果実に好適に適用することができる。
【０１１３】
（９）上記の実施形態においては、複数本の紐体３２が枠体３１の上下の張設ロッド３４間で縦方向にのみ互いに平行になるように張設されているが、本発明は、紐体３２が縦方向にのみ張設されることに限定されるものではなく、これに加えて横方向にも複数本の紐体３２を張設し、縦横の紐体３２によって矩形状の網目が形成されるようにしてもよい。この場合、縦方向に延びる紐体３２と、横方向に延びる紐体３２との交差部分は、互いに結着することなく、相対的に自由に移動し得るようにするのが好ましい。
【０１１４】
こうすることによって、果実の大きさに応じて網目が広がるため、単位面積当たりの重量が葉に比べて極めて大きい果実のみを網目を通して下方へ垂らすことができる。このような網目を形成させように紐体３２を縦横に張設した場合、植物栽培装置１０は、苺やトマト等の球形の果実を結実する果菜の栽培に適したものになる。
【０１１５】
（１０）上記の実施形態においては、茎這わせ部３０が垂下姿勢Ｓ１に姿勢設定された状態で、枠体３１が水平面に対して鉛直になっているが、こうする代わりに葉Ｋ３が位置する方が上になるように枠体３１を若干傾斜させるようにしてもよい。こうすることで、指光性を有する葉Ｋ３が必ず傾斜面の上側に向かうため、葉Ｋ３が果実とともに傾斜面の下側に位置することが防止され、紐体３２を境とした葉Ｋ３と果実との分離が確実に行われる。
【０１１６】
（１１）上記の実施形態においては、ガイドレール４１が直線状に形成されているが、こうする代わりにガイドレール４１を環状に配設してもよい。こうすることで、作業者は、同一の場所に居ながら玉突き状態で各茎這わせ部３０を移動させることにより各茎這わせ部３０に対して順番に所定の作業を行うことが可能になり、栽培作業の作業性を向上させることができる。
【０１１７】
（１２）本発明は、枠体３１の寸法が図１や図５に例示されるような寸法に設定されることに限定されるものではなく、状況に応じてこれより小さくしてもよいし、大きくしてもよい。
【図面の簡単な説明】
【０１１８】
【図１】本発明に係る植物栽培装置の一実施形態を示す斜視図である。
【図２】図１に示す植物栽培装置の側面視の説明図である。
【図３】苗成育部の一実施形態を示す一部切欠き斜視図であり、蓋体が開放された状態を示している。
【図４】図３に示す苗成育部において蓋体開放された状態を示す斜視図である。
【図５】茎這わせ部の一実施形態を示す斜視図である。
【図６】加湿器の概要を説明するための断面視の説明図であり、加湿器に併せて苗成育部の断面図も示している。
【符号の説明】
【０１１９】
１０  植物栽培装置          ２０  苗成育部
２１  苗成育筒              ２２  外筒
２２０  長尺開口            ２２１  円板側壁
２２２  蓋体                ２２３  蝶番（一辺部）
２２４  外筒側挿通孔（茎導出孔）
２３  内筒                  ２３ａ  金網
２３ｂ  防根シート          ２３１  内筒側挿通孔
２３２  栓部材              ２３３  切断部
２３４  閉止板              ２５  軸筒
２６  軸筒                  ２６１  気流導出開口
２７  遮光シート            ３０  二重ダクト
３０  茎這わせ部            ３１  枠体
３１１  横枠                ３１２  縦枠
３２  紐体                  ３３  蝶番
３４  張設ロッド            ３５  カバー体
４０  移動構造（支持部）    ４１  ガイドレール（スライドガイド部材）
４２  走行体                ４３  吊持アーム
４３１  ブラケット          ４２１  車輪支持部材
４２２  車輪                ４４  スライダ
４４１  被ガイド孔          ４４２  挿通片
４４３  ワイヤ              ５０  加湿器
５１  水槽                  ５１１  天板
５２  加湿器本体            ５２１  吸水管
５３  気流供給管            ５３１  フレキシブルチューブ
５４  気流回収管            ５４１  フレキシブルチューブ
５５  水温調節装置          ５６  加温装置
５６１  ボイラー            ５６２  加熱用コイル管
５７  冷却装置              ５７１  給水ポンプ
５７２  冷却用コイル管      ５８  給気装置
５８１  コンプレッサ        ５８２  バブリング配管
Ｅ  建屋                    Ｋ  キュウリ（果実）
Ｋ０  苗                    Ｋ１  根
Ｋ２  茎                    Ｋ３  葉
Ｓ１  垂下姿勢（縦向き姿勢）
Ｓ２  水平姿勢（横向き姿勢）
【図１】
2008148635.tif 000003
【図２】
2008148635.tif 000004
【図３】
2008148635.tif 000005
【図４】
2008148635.tif 000006
【図５】
2008148635.tif 000007
【図６】
2008148635.tif 000008